(57)【要約】【課題】茶葉が飲料に混じることなく、いろいろな種類のお茶を好みの分量、濃度で何煎も最適に飲むことができる茶漉しおよびコップ蓋付きコップを提供する。【解決手段】コップ７０と該コップに被着できる蓋８０と茶漉し９０とからなり、茶漉しの端には落下防止のための環状装着部８１を設け、その内側に貫通孔８２を円状に複数設け、さらにその内側に容器状に窪み８３をつけ、その底面に複数の濾過孔８４を設ける。コップ蓋の周縁には窪み９１をつけ、コップの口付部７１に掛かるようにし、コップ蓋の上端は逆容器状に環状に隆起させ、その頂上部に飲み口９７を設け、反対側に通気孔９３を設ける。さらにその内側に先に被着した茶漉しの容器状窪みに嵌入できるように環状の窪み９４を設け、中央に通気孔９５を設ける。【選択図】図９
2006198356.tif 000002
【特許請求の範囲】
【請求項１】
コップと該コップに被着できる蓋と茶漉しとからなり、茶漉しの上端には通気孔を設け、それより内側に容器状に窪みをつけ、その底面に複数の濾過孔を設けるとともに、コップ蓋の周縁には窪みをつけ、コップの口付部に掛かるようにし、コップ蓋の上端には通気孔を設け、その内側に先に被着した茶漉しの容器状窪みに嵌入できるように環状の窪みを設け、中央にも通気孔を設けることを特徴とする茶漉しおよび蓋付きコップ。
【請求項２】
請求項１記載の茶漉しおよび蓋付きコップにおいて、茶漉しには通気孔の反対側に貫通孔を設け、コップ蓋には通気孔の反対側に飲み口を設けることを特徴とする茶漉しおよび蓋付きコップ。
【請求項３】
請求項１記載の茶漉しおよび蓋付きコップにおいて、茶漉しの上端には貫通孔を円状に複数設け、コップ蓋の上端は逆容器状に環状に隆起させるとともに、その頂上部に飲み口を設け、その反対側に通気孔を設けることを特徴とする茶漉しおよび蓋付きコップ。
【発明の詳細な説明】
【技術分野】
【０００１】  この発明は、コップとそれに被着するコップ蓋および茶漉しを有する、茶漉しおよび蓋付きコップに関する。
【背景技術】
【０００２】  コップに被着する蓋に対しては、例えば、特許文献１に記載のように、コップ蓋に飲み口を設けたものもや、特許文献２のように飲み口に濾過部を設けたものも提案されている。
【特許文献１】  登録実用新案３０３６４４４号公報
【特許文献２】  特開２００４−２３８０３７号公報
【発明の開示】
【発明が解決しようとする課題】
【０００３】  しかしながら、以上の技術によれば、茶葉がコップ内に残りその成分が制限なく出てしまうため、お茶を好みの分量、濃度でおいしく飲むことが離しい。そこで、この発明は、茶葉が飲料に混ざることなく、いろいろな種類のお茶を好みの分量、濃度で何煎も最適に飲むことができる茶漉しおよび蓋付きコップを提供することを目的とする。
【課題を解決するための手段】
【０００４】  以上の課題を解決するために、第１発明は、コップと該コップに被着できる蓋と茶漉しとからなり、茶漉しの上端には通気孔を設け、それより内側に容器状に窪みをつけ、その底面に複数の濾過孔を設けるとともに、コップ蓋の周縁には窪みをつけ、コップの口付部に掛かるようにし、コップ蓋の上端には通気孔を設け、その内側に先に被着した茶漉しの容器状窪みに嵌入できるように環状の窪みを設け、中央にも通気孔を設けることを特徴とする。【０００５】  第２発明は、第１の発明に係る茶漉しおよび蓋付きコップにおいて、茶漉しには通気孔の反対側に貫通孔を設け、コップ蓋には通気孔の反対側に飲み口を設けることを特徴とする。【０００６】  第３発明は、第１の発明に係る茶漉しおよび蓋付きコップにおいて、茶漉しの上端には貫通孔を円状に複数設け、コップ蓋の上端は逆容器状に環状に隆起させるとともに、その頂上部に飲み口を設け、その反対側に通気孔を設けることを特徴とする。
【発明の効果】
【０００７】  請求項１記載の茶漉しおよび蓋付きコップは、茶漉しの脱着によりお茶を好みの分量、濃度で何煎も最適に飲むことができる。コップとコップ蓋はコップの口付部とコップ蓋の周縁の窪みによりシールされているので、傾けてもお茶が零れることがない。またコップ蓋をコップから外し反転させ卓上に置けば、その上に茶漉しを置くことができる。【０００８】  請求項２記載の茶漉しおよび蓋付きコップは、上記の効果に加え、茶漉しの貫通孔とコップ蓋の飲み口を上下合わせることにより、コップ蓋および茶漉しを被着したまま茶葉が濾過されたお茶を飲むことができる。またコップ蓋を１８０度回転させると茶漉しの貫通孔とコップ蓋の飲み口ともに通気孔部分によって塞がれ、大きく傾けてもお茶が零れなくなる。【０００９】  請求項３記載の茶漉しおよび蓋付きコップは、上記の効果に加え、飲み口部分を隆起させることによりさらに快適にお茶を飲むことができるとともに、茶漉しの上端に円状の貫通孔を複数設けることにより、コップと飲み口の間をスムーズにお茶が流れるようになっている。【００１０】  以上のような効果に加え、コップは紙または樹脂、コップ蓋と茶漉しは樹脂で成形すれば、低コストで生産できるので、使い捨ての茶漉しおよび蓋付きコップとして、ファーストフード店や飛行機などの中での利用が期待できる。
【発明を実施するための最良の形態】
【００１１】  次に、この発明の実施例を図面に基づいて説明する。図１および図２は、請求項１記載の第一の実施の形態に係る茶漉しおよび蓋付きコップの実施例の一例を示したものである。図１は斜視図、図２はコップに茶漉しと蓋を取り付けた状態を示す断面図である。この茶漉しおよび蓋付きコップは、コップ１０と、それに被着されるコップ蓋３０および茶漉し２０との組合せからなる。コップは紙または樹脂製で、コップ蓋と茶漉しは樹脂シートを真空成形したものである。【００１２】  コップ１０の上端縁には、口付部１１として折返しなどの加工が施されているため、茶漉し２０の環状被着部２１がコップの口付部１１に被着されやすくなり、コップ内に茶漉しが落下するのを防いでいる。中央部にある容器状窪み２３に茶葉を入れ、お湯を注ぐことにより、容器状窪み２３の底面にある濾過孔２４により濾過されたお茶がコップ内に溜まる。濾過孔２４は茶葉がコップ内に落下しない程度の大きさとし、その数はストレスなくお茶がコップ内に落下する程度とする。また環状被着部２１と容器状窪み２３の間には通気孔２２があり、お湯を注いだときコップ内の空気の出口となっている。【００１３】  コップ蓋３０の周縁には、環状被着部３２があり、茶漉しの環状被着部２１の上からコップの口付部１１に被着する。そのとき、図２に示すように、窪み３１によりコップとコップ蓋がシールされるので、コップを傾けても、お茶が零れることがない。さらに図２に示すように、環状窪み３４を茶漉しの容器状窪み２３に嵌入することにより、茶葉が濾過済みのお茶に混入することを防ぐことができる。また茶漉しの通気孔２２とコップ蓋の通気孔３３とを上下合わせることにより、コップ内の空気を排出することができ、コップ蓋中央の通気孔３５からは空気を茶漉し内に入れることができるので、濾過中にコップにコップ蓋をすることができる。そのため、濾過中のお茶にゴミやホコリが入るのを防ぐことができる。【００１４】  図３は茶漉し２０の平面図、図４はコップ蓋３０の平面図である。【００１５】  図５および図６は、請求項２記載の第２の実施の形態に係る茶漉しおよび蓋付きコップの実施例の好ましい一例を示したもので、図５は斜視図、図６はコップに茶漉しと蓋を取り付けた状態を示す断面図である。この茶漉しおよび蓋付きコップは、コップ４０と、それに被着されるコップ蓋６０および茶漉し５０との組合せからなる。コップは紙または樹脂製で、コップ蓋と荼漉しは樹脂シートを真空成形したものである。【００１６】  コップ４０の上端縁には、口付部４１として折返しなどの加工が施されているため、茶漉し５０の環状被着部５１がコップの口付部４１に被着されやすくなり、コップ内に茶漉しが落下するのを防いでいる。中央部にある容器状窪み５３に茶葉を入れ、お湯を注ぐことにより、容器状窪み５３の底面にある濾過孔５４により濾過されたお茶がコップ内に溜まる。濾過孔５４は茶葉がコップ内に落下しない程度の大きさとし、その数はストレスなくお茶がコップ内に落下する程度とする。また環状被着部５１と容器状窪み５３の間にある通気孔５２は空気の出入口となっており、その反対側には貫通孔５５があるので、図６に示すように、茶漉しに設けられた貫通孔５５とコップ蓋の飲み口６６とを合わせることにより、そこからお茶を飲むことができる。【００１７】  コップ蓋６０の周縁には、環状被着部６２があり、茶漉しの環状被着部５１の上からコップの口付部４１に被着する。そのとき、図６に示すように、窪み６１によりコップとコップ蓋がシールされるので、コップを傾けても、お茶が零れることがない。また環状被着部６２内側の飲み口６６からコップ蓋をしたままお茶を飲むことができ、その反対側には飲料が減ったときにコップ内に空気を入れる通気孔６３、中央にも同様な通気孔６５がある。さらに図６に示すように、環状窪み６４を茶漉しの容器状窪み５３に嵌入することにより、茶葉が濾過済みのお茶に混入することを防ぐことができる。またコップ蓋を１８０度回転させると飲み口６６と貫通孔５５が通気孔部分によって塞がれるため、大きく傾けてもお茶が零れなくなるとともに、コップ蓋の飲み口６６と通気孔６３の双方からコップ内の空気を排出することができ、コップ蓋中央の通気孔６５からは空気を茶漉し内に入れることができるので、濾過中にコップにコップ蓋をすることができる。そのため、濾過中のお茶にゴミやホコリが入るのを防ぐことができる。【００１８】  図７は茶漉し５０の平面図、図８はコップ蓋６０の平面図である。貫通孔５５および飲み口６６の大きさは限定されないが、お茶を飲みやすくかつ零れにくい大きさとするのが良く、通常、直径５ｍｍ〜１０ｍｍ程度の大きさのものが好ましい。【００１９】  図９および図１０は、請求項３記載の第３の実施の形態に係る茶漉しおよび蓋付きコップの実施例の好ましい一例を示したもので、図９は斜視図、図１０はコップに茶漉しと蓋を取り付けた状態を示す断面図である。この茶漉しおよび蓋付きコップは、コップ７０と、それに被着されるコップ蓋９０および茶漉し８０との組合せからなり、最も理想的な形状である。コップは紙または樹脂製で、コップ蓋と茶漉しは樹脂シートを真空成形したものである。【００２０】  コップ７０の上端縁には、口付部７１として折返しなどの加工が施されているため、茶漉し８０の環状被着部８１がコップの口付部７１に被着されやすくなり、コップ内に茶漉しが落下するのを防いでいる。中央部にある容器状窪み８３に茶葉を入れ、お湯を注ぐことにより、容器状窪み８３の底面にある濾過孔８４により濾過されたお茶がコップ内に溜まる。濾過孔８４は茶葉がコップ内に落下しない程度の大きさとし、その数はストレスなくお茶がコップ内に落下する程度とする。また環状被着部８１と容器状窪み８３の間には円状に貫通孔８２が複数あるため、コップと飲み口の間をスムーズにお茶が流れるようになっているとともに空気の出入口にもなっている。【００２１】  コップ蓋９０の周縁には、環状被着部９２があり、茶漉しの環状被着部８１の上からコップの口付部７１に被着する。そのとき、図１０に示すように、窪み９１によりコップとコップ蓋がシールされるので、コップを傾けても、お茶が零れることがない。また環状隆起部９６を有しているので、この環状隆起部９６の飲み口９７から、より快適にお茶を飲むことができ、その反対側には飲料が減ったときにコップ内に空気を入れる通気孔９３、中央にも同様な通気孔��５がある。さらに、図１０に示すように、環状窪み９４を茶漉しの容器状窪み８３に嵌入することにより、茶葉が濾過済みのお茶に混入することを防ぐことができる。またコップ蓋の飲み口９７と通気孔９３の双方からコップ内の空気を排出することができ、コップ蓋中央の通気孔９５からは空気を茶漉し内に入れることができるので、濾過中にコップにコップ蓋をすることができる。そのため、濾過中のお茶にゴミやホコリが入るのを防ぐことができる。【００２２】  図１１は茶漉し８０の平面図、図１２はコップ蓋９０の平面図である。【００２３】  図１１に示すように、円状に設けた貫通孔８２は、実施の形態２における茶漉しの貫通孔５５より大きめに設計することが好ましく、このように貫通孔８２を大きくすることにより、お茶がコップ蓋の隆起部に溜まるのを防止することができる。また、貫通孔８２は図１１では１２個設けているが、図は実施の一形態を示すものであり、これに限定されない。【００２４】  本発明は上記実施例に限定されることなく、特許請求の範囲に記載した発明の範囲内で、種々の変形が可能であり、それらも本発明の範囲内に含まれるものであることはいうまでもない。
【図面の簡単な説明】
【００２５】
【図１】第１の実施の形態に係る茶漉しおよび蓋付きコップの斜視図である。
【図２】第１の実施の形態に係る茶漉しおよび蓋付きコップの断面図である。
【図３】第１の実施の形態に係る茶漉しの平面図である。
【図４】第１の実施の形態に係るコップ蓋の平面図である。
【図５】第２の実施の形態に係る茶漉しおよび蓋付きコップの斜視図である。
【図６】第２の実施の形態に係る茶漉しおよび蓋付きコップの断面図である。
【図７】第２の実施の形態に係る茶漉しの平面図である。
【図８】第２の実施の形態に係るコップ蓋の平面図である。
【図９】第３の実施の形態に係る茶漉しおよび蓋付きコップの斜視図である。
【図１０】第３の実施の形態に係る茶漉しおよび蓋付きコップの断面図である。
【図１１】第３の実施の形態に係る茶漉しの平面図である。
【図１２】第３の実施の形態に係るコップ蓋の平面図である。
【符号の説明】
【００２６】    １０  コップ
１１  口付部
２０  茶漉し
２１  環状被着部
２２  通気孔
２３  容器状窪み
２４  濾過部
３０  コップ蓋
３１  窪み
３２  環状被着部
３３  通気孔
３４  環状窪み
３５  通気孔
４０  コップ
４１  口付部
５０  茶漉し
５１  環状被着部
５２  通気孔
５３  容器状窪み
５４  濾過部
５５  貫通孔
６０  コップ蓋
６１  窪み
６２  環状被着部
６３  通気孔
６４  環状窪み
６５  通気孔
６６  飲み口
７０  コップ
７１  口付部
８０  茶漉し
８１  環状被着部
８２  貫通孔
８３  容器状窪み
８４  濾過部
９０  コップ蓋
９１  窪み
９２  環状被着部
９３  通気孔
９４  環状窪み
９５  通気孔
９６  環状隆起部
９７  飲み口
【図１】
2006198356.tif 000003
【図２】
2006198356.tif 000004
【図３】
2006198356.tif 000005
【図４】
2006198356.tif 000006
【図５】
2006198356.tif 000007
【図６】
2006198356.tif 000008
【図７】
2006198356.tif 000009
【図８】
2006198356.tif 000010
【図９】
2006198356.tif 000011
【図１０】
2006198356.tif 000012
【図１１】
2006198356.tif 000013
【図１２】
2006198356.tif 000014